(57)【要約】【課題】被検体の被曝を抑制する。【解決手段】コリメータ２３の減衰板２３１，２３２の縁部ａ，ｂは、マルチ検出器２４のチャネル方向についてＸ線管２１から見て凹状に湾曲している。縁部ａ，ｂの湾曲形状は、Ｘ線焦点を通る直線を中心軸とする円筒を中心軸に直交する平面で切断した如き円弧状である。また、縁部ａと縁部ｂとは、平行である。また、コリメータ２３は、減衰板２３１，２３２を移動させるためのスライド機構２３３を備えている。【効果】検出器面に投影された縁部投影線ＫＴは、Ｘ線管２１から見てチャネル方向の両端部よりも中央部が膨れた中膨れ形状にならず、直線状になり、マルチ検出器２４の直線の境界線ＲＢに沿ったコリメーションを行うことが出来る。これにより、被検体の無駄な被曝を抑制することが出来る。【選択図】  図１
2004357956.tif 000002
【特許請求の範囲】
【請求項１】
Ｘ線を放射するＸ線源と、Ｘ線を減衰させる材料からなる一方側減衰片と他方側減衰片とをそれらの縁部の間にＸ線が通過する間隙を空けて対向させてなるコリメータであって前記減衰片の縁部が前記Ｘ線源側から見て凹状に湾曲した形状であるコリメータと、前記Ｘ線源側から見て凹状に湾曲した形状を有し前記コリメータの間隙を通過したＸ線を検出する検出器とを具備したことを特徴とするＸ線撮影装置。
【請求項２】
請求項１に記載のＸ線撮影装置において、前記コリメータの縁部の湾曲形状が、前記検出器の湾曲形状と相似であることを特徴とするＸ線撮影装置。
【請求項３】
請求項２に記載のＸ線撮影装置において、前記コリメータの縁部の湾曲形状が円弧状であることを特徴とするＸ線撮影装置。
【請求項４】
請求項１から請求項３のいずれかに記載のＸ線撮影装置において、前記コリメータの縁部の間隙の幅が可変であることを特徴とするＸ線撮影装置。
【請求項５】
請求項４に記載のＸ線撮影装置において、前記コリメータの一方側減衰片の縁部と他方側減衰片の縁部とが平行であることを特徴とするＸ線撮影装置。
【請求項６】
Ｘ線を減衰させる材料からなる一方側減衰片と他方側減衰片とをそれらの縁部の間にＸ線が通過する間隙を空けて対向させてなるコリメータであって、前記減衰片の縁部がＸ線源側から見て凹状に湾曲した形状であることを特徴とするコリメータ。
【請求項７】
請求項６に記載のコリメータにおいて、前記縁部の湾曲した形状が円弧状であることを特徴とするコリメータ。
【請求項８】
請求項６または請求項７に記載のコリメータにおいて、前記縁部の間隙の幅が可変であることを特徴とするコリメータ。
【請求項９】
請求項８に記載のコリメータにおいて、前記一方側減衰片の縁部と前記他方側減衰片の縁部とが平行であることを特徴とするコリメータ。
【発明の詳細な説明】
【０００１】
【発明の属する技術分野】
本発明は、Ｘ線撮影装置およびコリメータに関し、更に詳しくは、被検体の被曝を抑制することが出来るＸ線撮影装置およびコリメータに関する。
【０００２】
【従来の技術】
従来、Ｘ線を減衰させる材料からなる一方側減衰片と他方側減衰片とをそれらの縁部の間にＸ線が通過する間隙を空けて対向させてなるコリメータであって前記減衰片が平板形状であるコリメータを備えたＸ線ＣＴ装置が知られている（例えば、特許文献１参照。）。
【０００３】
【特許文献１】
特開２００１−１１２７４７号公報
【０００４】
【発明が解決しようとする課題】
上記従来のＸ線ＣＴ（Ｃｏｍｐｕｔｅｄ  Ｔｏｍｏｇｒａｐｈｙ）装置において、Ｘ線源から放射されたＸ線がコリメータの間隙を通過することにより、検出器のチャネル方向に一定の厚さのＸ線ビームが形成される。ここで、検出器面が平面であれば、検出器面に投影されたＸ線ビームの形状は、チャネル方向について一定の厚さになる。ところが、実際には、検出器面はチャネル方向についてＸ線源側から見て凹状に湾曲した形状をしているため、検出器面に投影されたＸ線ビームの形状は、Ｘ線源から見てチャネル方向の両端部よりも中央部が膨れた中膨れ形状になる。
しかし、検出器の境界線はＸ線源から見て略直線であるため、Ｘ線ビーム投影形状が中膨れ形状であると、チャネル方向の中央では、データを収集しない領域にまでＸ線ビームが及ぶことになる。これは、被検体にとって無駄な被曝である。
そこで、本発明の目的は、上記のような被検体の無駄な被曝を抑制することが出来るＸ線撮影装置およびコリメータを提供することにある。
【０００５】
【課題を解決するための手段】
第１の観点では、本発明は、Ｘ線を放射するＸ線源と、Ｘ線を減衰させる材料からなる一方側減衰片と他方側減衰片とをそれらの縁部の間にＸ線が通過する間隙を空けて対向させてなるコリメータであって前記減衰片の縁部が前記Ｘ線源側から見て凹状に湾曲した形状であるコリメータと、前記Ｘ線源側から見て凹状に湾曲した形状を有し前記コリメータの間隙を通過したＸ線を検出する検出器とを具備したことを特徴とするＸ線撮影装置を提供する。
上記第１の観点によるＸ線撮影装置では、Ｘ線ビーム形状を規定するコリメータの縁部がＸ線源側から見て凹状に湾曲した形状になっている。このため、Ｘ線源側から見て凹状に湾曲した形状をしている検出器面に投影されたＸ線ビームの形状は、Ｘ線源から見てチャネル方向の両端部よりも中央部が膨れた中膨れ形状にならず、直線状になり、検出器の境界線に沿ったコリメーションを行うことが出来る。これにより、被検体の無駄な被曝を抑制することが出来る。
【０００６】
第２の観点では、本発明は、上記構成のＸ線撮影装置において、前記コリメータの縁部の湾曲形状が、前記検出器の湾曲形状と相似であることを特徴とするＸ線撮影装置を提供する。
上記第２の観点によるＸ線撮影装置では、コリメータの縁部の湾曲形状と検出器の湾曲形状とが相似であるため、Ｘ線源からコリメータの縁部の任意点までの距離とその任意点が投影される検出器面上の点までの距離の比が一定になる。これにより、検出器の境界線に沿ったコリメーションを行うことが出来る。
【０００７】
第３の観点では、本発明は、上記構成のＸ線撮影装置において、前記コリメータの縁部の湾曲形状が円弧状であることを特徴とするＸ線撮影装置を提供する。
上記第３の観点によるＸ線撮影装置では、コリメータの縁部の湾曲形状が円弧状であるため、Ｘ線源からコリメータの縁部の任意点までの距離およびその任意点が投影される検出器面上の点までの距離を一定に出来る。
【０００８】
第４の観点では、本発明は、上記構成のＸ線撮影装置において、前記コリメータの縁部の間隙の幅が可変であることを特徴とするＸ線撮影装置を提供する。
上記第４の観点によるＸ線撮影装置では、データを収集するのに使用する検出器列の数を変更するのに合わせてＸ線ビームの幅を変更することが出来る。
【０００９】
第５の観点では、本発明は、上記構成のＸ線撮影装置において、前記コリメータの一方側減衰片の縁部と他方側減衰片の縁部とが平行であることを特徴とするＸ線撮影装置を提供する。
上記第５の観点によるＸ線撮影装置では、Ｘ線ビームの幅を０にまで小さくすることが出来る。
【００１０】
第６の観点では、本発明は、Ｘ線を減衰させる材料からなる一方側減衰片と他方側減衰片とをそれらの縁部の間にＸ線が通過する間隙を空けて対向させてなるコリメータであって、前記減衰片の縁部がＸ線源側から見て凹状に湾曲した形状であることを特徴とするコリメータを提供する。
上記第６の観点によるコリメータは、上記第１の観点によるＸ線撮影装置に好適に使用できる。
【００１１】
第７の観点では、本発明は、上記構成のコリメータにおいて、前記縁部の湾曲した形状が円弧状であることを特徴とするコリメータを提供する。
上記第７の観点によるコリメータは、上記第３の観点によるＸ線撮影装置に好適に使用できる。
【００１２】
第８の観点では、本発明は、上記構成のコリメータにおいて、前記縁部の間隙の幅が可変であることを特徴とするコリメータを提供する。
上記第８の観点によるコリメータは、上記第４の観点によるＸ線撮影装置に好適に使用できる。
【００１３】
第９の観点では、本発明は、上記構成のコリメータにおいて、前記一方側減衰片の縁部と前記他方側減衰片の縁部とが平行であることを特徴とするコリメータを提供する。
上記第９の観点によるコリメータは、上記第５の観点によるＸ線撮影装置に好適に使用できる。
【００１４】
【発明の実施の形態】
以下、図に示す実施の形態により本発明をさらに詳細に説明する。なお、これにより本発明が限定されるものではない。
【００１５】
図１は、本発明の一実施形態にかかるＸ線ＣＴ装置１の要部を示す斜視図である。
このＸ線ＣＴ装置１００は、Ｘ線を放射するＸ線管２１と、Ｘ線を減衰させる材料からなる第１減衰板２３１と第２減衰板２３２とをそれらの縁部ａ，ｂの間にＸ線が通過する間隙ｇを空けて対向させてなるコリメータ２３と、コリメータ２３の間隙ｇを通過したＸ線を検出するマルチ検出器２４とを具備している。
【００１６】
マルチ検出器２４は、複数の検出器列を有し、チャネル方向についてＸ線管２１から見て凹状に湾曲した形状を有している。検出器面の湾曲形状は、Ｘ線焦点を通る直線を中心軸とする円筒の一部の如き形状である。検出器列の境界線ＲＢは、Ｘ線管２１から見て略直線である。
【００１７】
コリメータ２３の減衰板２３１，２３２の縁部ａ，ｂは、マルチ検出器２４のチャネル方向についてＸ線管２１から見て凹状に湾曲している。縁部ａ，ｂの湾曲形状は、Ｘ線焦点を通る直線を中心軸とする円筒を中心軸に直交する平面で切断した如き円弧状である。また、縁部ａと縁部ｂとは、平行である。
また、コリメータ２３は、減衰板２３１，２３２を移動させるためのスライド機構２３３を備えている。
【００１８】
以上のＸ線ＣＴ装置１００およびコリメータ２３によれば、コリメータ２３の縁部ａ，ｂがＸ線管２１から見て凹状に湾曲した形状になっているため、同じくＸ線管２１から見て凹状に湾曲した形状をしている検出器面に投影された縁部投影線ＫＴは、Ｘ線管２１から見てチャネル方向の両端部よりも中央部が膨れた中膨れ形状にならず、直線状になり、マルチ検出器２４の直線の境界線ＲＢに沿ったコリメーションを行うことが出来る。これにより、被検体の無駄な被曝を抑制することが出来る。
また、コリメータ２３の縁部ａと縁部ｂとが平行であり、コリメータ２３は減衰板２３１，２３２を移動させるためのスライド機構２３３を備えているため、縁部ａ，ｂの対向距離すなわち間隙ｇの幅すなわちＸ線ビームＢの厚さを０まで小さくすることが出来る。
【００１９】
【発明の効果】
本発明のＸ線ＣＴ装置およびコリメータによれば、スライス厚に依存せずに検出器の境界に沿ったコリメーションを行うことが出来る。その結果、被検体の無駄な被爆を抑制することが出来る。
【図面の簡単な説明】
【図１】本発明の一実施形態にかかるＸ線ＣＴ装置の要部を示す斜視図である。
【符号の説明】
２１                                Ｘ線管
２３                                コリメータ
２３１      第１減衰板
２３２      第２減衰板
２３３      スライド機構
２４        マルチ検出器
１００      Ｘ線ＣＴ装置
ａ，ｂ      コリメータの縁部
ＫＴ        縁部投影線
ＲＢ        境界線
【図１】
2004357956.tif 000003